(57)【特許請求の範囲】
【請求項１】
軸方向に直列に連結可能な複数のポール素子を備え、
すべてのポール素子を軸方向に直列に連結することで、布設営物設置用の１本のメインポールを構成可能であり、
前記ポール素子のうち、何れか１個のポール素子単独で、または、一部のポール素子を軸方向に直列に連結することで、布設営物設置用の１本のサブポールを構成すると共に、残りのポール素子単独で、または、残りのポール素子を軸方向に直列に連結することで、布設営物設置用の別の１本のサブポールを構成することができ、かつ、
前記ポール素子のうち、前記メインポールおよび前記サブポールを構成した場合に、それぞれの最も軸方向片側に連結されるポール素子の軸方向片端部に、前記布設営物を構成する布構造を支承するための支承部が設けられている、
ポール素子集合体。
【請求項２】
前記ポール素子のうち、少なくとも、前記メインポールを構成した場合に、最も軸方向片側に連結されるポール素子を除くポール素子のそれぞれは、前記軸方向片端部に設けられた小径部と、中間部乃至他端部に設けられた筒状部と、該小径部と該筒状部とを連続させる段差部とを少なくとも備え、該ポール素子のうち、前記サブポールを構成した場合に、最も軸方向片側に連結されるポール素子の前記小径部の軸方向端部には、前記筒状部に収納可能であり、かつ、前記布設営物を構成する布構造を支承するための支承部が設けられている、請求項１に記載のポール素子集合体。
【請求項３】
前記支承部が、前記天幕に形成された通孔に挿通するためのピン部である、請求項１または２に記載のポール素子集合体。
【請求項４】
天幕と、該天幕を支承する２本のメインポールと、前記天幕に張力を付与する２本以上のロープとを備え、前記２本のメインポールのうち、少なくとも１本は、請求項１〜３のいずれかに記載のポール素子集合体により構成される、タープ。
【発明の詳細な説明】
【技術分野】
【０００１】
本発明は、キャンプなどの野外活動時に日除けや雨除けなどの目的で使用される簡易なタープを設置するためのポールを構成するポール素子集合体に関する。
【背景技術】
【０００２】
キャンプなどの野外活動時に日除けや雨除けなどの目的で使用される簡易なタープとしては、ウイング型、ヘキサゴン型、スクエア型などの種々の形態のものがある（例えば特許文献１参照）。これらのタープの基本的な構造は、矩形や六角形からなる天幕と、該天幕を支承する２本のメインポールと、前記天幕に張力を付与する２本以上のロープとにより構成される。このようにタープは非常に簡易な構造を有するため、その部品数を少なく抑え、かつ、容易にその設営作業をすることができる。また、その設営状態では、タープは、非常にシンプルですっきりとしたデザインを有し、かつ、周囲が開いていて風通しが良く、横風に強く、開放感が得られるといった特徴を有する。
【０００３】
このようなタープをテントと連結して設置すれば、雨天の際に雨具を使用しなくても、雨に濡れることなく、タープとテントとを行き来することができて、かつ、広い空間を確保できて、便利である。タープとテントとを連結する場合には、例えば、タープを構成する天幕の長さ方向（長手方向）片側縁部を、テントのフライシートなどに重畳させた状態で、前記天幕の長さ方向片側縁部を、ロープや金具などにより、テントに支承（連結）する。また、前記天幕の長さ方向他側縁部のうち、幅方向（短手方向）中央部を、１本のメインポールに支承すると共に、幅方向両端部にそれぞれ、ロープの一端を取り付けて、このロープの他端を地面にペグなどによって固定する。
【０００４】
ここで、前記天幕の長さ方向他側縁部の幅方向両端部をそれぞれ、メインポールよりも短いポール（サブポール）により持ち上げて支承すれば、より広い空間の確保が可能になる。ただし、メインポールと長さの異なるサブポールを別途準備する必要があり、面倒である。
【先行技術文献】
【特許文献】
【０００５】
【特許文献１】特開平１１−９３４６２号公報
【発明の概要】
【発明が解決しようとする課題】
【０００６】
本発明は、タープなどの布設営物を単独で設置する際には、１本の長尺なポール（メインポール）として使用することができ、タープなどの布設営物をテントなどの他の布設営物と連結して設置する際には、２本の短尺なポール（サブポール）として使用することができるポールの構造を実現することを目的とする。
【課題を解決するための手段】
【０００７】
本発明のポール素子集合体は、軸方向に直列に連結可能な複数のポール素子を備える。そして、すべてのポール素子を軸方向に直列に連結することで、タープなどの布設営物設置用の１本のメインポール（長尺なポール）を構成することができる。一方、前記ポール素子のうち、何れか１個のポール素子単独で、または、一部のポール素子を軸方向に直列に連結することで、タープなどの布設営物設置用の１本のサブポール（短尺なポール）を構成すると共に、残りのポール素子単独で、または、残りのポール素子を軸方向に直列に連結することで、タープなどの布設営物設置用の別の１本のサブポールを構成することができる。
【０００８】
前記メインポールおよび前記サブポールを構成するポール素子のうち、それぞれの最も軸方向片側に連結されるポール素子の軸方向片端部に、タープなどの布設営物を構成する天幕などの布構造を支承するための支承部が設けられる。
【０００９】
より具体的には、前記ポール素子のうち、少なくとも、前記メインポールを構成した場合に、最も軸方向片側に連結されるポール素子を除くポール素子のそれぞれは、前記軸方向片端部に設けられた小径部と、中間部乃至他端部に設けられた筒状部と、該小径部と該筒状部とを連続させる段差部とを少なくとも備え、該ポール素子のうち、前記サブポールを構成した場合に、最も軸方向片側に連結されるポール素子の前記小径部の軸方向端部には、前記筒状部に収納可能であり、かつ、前記布設営物を構成する布構造を支承するための支承部が設けられる。
【００１０】
前記支承部は、前記天幕などの布構造に形成された通孔に挿通するためのピン部により構成することが好ましい。
【００１１】
本発明のタープは、天幕と、該天幕を支承する２本のメインポールと、前記天幕に張力を付与する２本以上のロープとを備え、前記２本のメインポールのうち、少なくとも１本は、上記した本発明のポール素子集合体により構成される。
【発明の効果】
【００１２】
本発明のポール素子集合体は、ポール素子集合体の組み合わせ状態を変更することにより、１本のメインポールとして使用することもできるし、２本のサブポールとして使用することもできる。例えば、タープを単独で設置する場合には、１本のメインポールとして使用する。これに対して、タープをテントと連結して設置する場合には、２本のサブポールとして使用することで、より広い居住空間の確保が可能になる。この場合にも、メインポールと長さの異なるサブポールを別途準備する必要がなく、便利である。
【図面の簡単な説明】
【００１３】
【図１】図１は、本発明の実施の形態の１例にかかるポール素子集合体を示す側面図である。
【図２】図２は、１本のメインポールとして組み立てた状態を示す側面図である。
【図３】図３は、２本のサブポールとして組み立てた状態を示す側面図である。
【図４】図４は、タープを単独で設置した状態を示す斜視図である。
【図５】図５は、タープをテントと連結して設置した状態を示す斜視図である。
【発明を実施するための形態】
【００１４】
図１〜図３は、本発明の実施の形態の第１例を示している。本例のポール素子集合体１は、第１ポール素子２と、第２ポール素子３と、第３ポール素子４と、第４ポール素子５とを備える。これらの第１ポール素子２、第２ポール素子３、第３ポール素子４および第４ポール素子５はそれぞれ、ガラス繊維若しくは炭素繊維、または、アルミニウム合金やマグネシウム合金などの軽合金若しくは炭素鋼などの鉄系合金により、略円筒状に造られている。
【００１５】
第１ポール素子２は、片端部（図１の右端部）に設けられた小径部６ａと、中間部乃至他端部（図１の左端部）に設けられた筒状部７ａと、小径部６ａと筒状部７ａとを連続させる段差部８ａとを備える。
【００１６】
第２ポール素子３は、片端部に設けられた小径部６ｂと、中間部乃至他端部に設けられた筒状部７ｂと、小径部６ｂと筒状部７ｂとを連続させる段差部８ｂと、小径部６ｂの片端面にこの片端面から軸方向に突出する状態で設けられたピン部９ａとを備える。
【００１７】
第３ポール素子４は、片端部に設けられた小径部６ｃと、中間部乃至他端部に設けられた筒状部７ｃと、小径部６ｃと筒状部７ｃとを連続させる段差部８ｃとを備える。
【００１８】
第４ポール素子５は、筒状部７ｄと、筒状部７ｄの片端面に、この片端面から軸方向に突出する状態で設けられたピン部９ｂとを備える。
【００１９】
これらの第１ポール素子２、第２ポール素子３、第３ポール素子４および第４ポール素子５は、軸方向に直列に連結可能に構成されている。具体的には、第１ポール素子２と第２ポール素子３とが、第１ポール素子２の小径部６ａを第２ポール素子３の筒状部７ｂに内嵌することにより軸方向に直列に連結可能に構成され、第２ポール素子３と第３ポール素子４とが、第２ポール素子３の小径部６ｂを第３ポール素子４の筒状部７ｃに内嵌することにより軸方向に直列に連結可能に構成され、第３ポール素子４と第４ポール素子５とが、第３ポール素子４の小径部６ｃを第４ポール素子５の筒状部７ｄに内嵌することにより、軸方向に直列に連結可能に構成されている。
【００２０】
第１ポール素子２と第２ポール素子３との間には、第１ポール素子２と第２ポール素子３とを連結した状態、すなわち、第１ポール素子２の小径部６ａを第２ポール素子３の筒状部７ｂに内嵌し、この筒状部７ｂの他端面を第１ポール素子２の段差部８ａに突き当てた状態で保持するためのロック機構１０ａが設けられている。このロック機構１０ａは、ばねなどの弾性部材により径方向外方に向いた弾力を付与させた状態で、その先端部を第１ポール素子２の小径部６ａの外周面から突出させた軸杆１１ａと、第２ポール素子３の筒状部７ｂのうち、第１ポール素子２と第２ポール素子３とを連結した状態で、軸杆１１ａと整合する部分に形成された係合孔１２ａとにより構成されている。すなわち、これらの軸杆１１ａと係合孔１２ａとの係合により、第１ポール素子２と第２ポール素子３とが連結された状態で保持される。第１ポール素子２と第２ポール素子３とを分解する場合には、軸杆１１ａを弾性部材の弾力に抗して、径方向内方に、軸杆１１ａと係合孔１２ａとの係合が外れるまで押し込む。この状態で、第１ポール素子２と第２ポール素子３とを、軸方向に関して互いに離れる方向に相対変位させ、これらの第１ポール素子２と第２ポール素子３とを分解する。
【００２１】
第２ポール素子３と第３ポール素子４との間には、第２ポール素子３と第３ポール素子４とを連結した状態、すなわち、第２ポール素子３の小径部６ｂおよびピン部９ａを第３ポール素子４の筒状部７ｃに内嵌し、この筒状部７ｃの他端面を第２ポール素子３の段差部８ｂに突き当てた状態で保持するためのロック機構１０ｂが設けられている。このロック機構１０ｂは、弾性部材により径方向外方に向いた弾力を付与させた状態で、その先端部を第２ポール素子３の小径部６ｂの外周面から突出させた軸杆１１ｂと、第３ポール素子４の筒状部７ｃのうち、第２ポール素子３と第３ポール素子４とを連結した状態で、軸杆１１ｂと整合する部分に形成された係合孔１２ｂとにより構成されている。すなわち、軸杆１１ｂと係合孔１２ｂとの係合により、第２ポール素子３と第３ポール素子４とが連結した状態で保持される。第２ポール素子３と第３ポール素子４とを分解する場合には、軸杆１１ｂを弾性部材の弾力に抗して、径方向内方に、軸杆１１ｂと係合孔１２ｂとの係合が外れるまで押し込む。この状態で、第２ポール素子３と第３ポール素子４とを、軸方向に関して互いに離れる方向に相対変位させ、これらの第２ポール素子３と第３ポール素子４とを分解する。
【００２２】
第３ポール素子４と第４ポール素子５との間には、第３ポール素子４と第４ポール素子５とを連結した状態、すなわち、第３ポール素子４の小径部６ｃを第４ポール素子５の筒状部７ｄに内嵌し、この筒状部７ｄの他端面を第３ポール素子４の段差部８ｃに突き当てた状態で保持するためのロック機構１０ｃが設けられている。このロック機構１０ｃは、弾性部材により径方向外方に向いた弾力を付与させた状態で、その先端部を第３ポール素子４の小径部６ｃの外周面から突出させた軸杆１１ｃと、第４ポール素子５の筒状部７ｄのうち、第３ポール素子４と第４ポール素子５とを連結した状態で、軸杆１１ｃと整合する部分に形成された係合孔１２ｃとにより構成されている。すなわち、これらの軸杆１１ｃと係合孔１２ｃとの係合により、第３ポール素子４と第４ポール素子５とが連結した状態で保持される。第３ポール素子４と第４ポール素子５とを分解する場合には、軸杆１１ｃを弾性部材の弾力に抗して、径方向内方に、軸杆１１ｃと係合孔１２ｃとの係合が外れるまで押し込む。この状態で、第３ポール素子４と第４ポール素子５とを、軸方向に関して互いに離れる方向に相対変位させ、これらの第３ポール素子４と第４ポール素子５とを分解する。
【００２３】
上述のように構成する本例のポール素子集合体１は、図２に示すように、第１ポール素子２、第２ポール素子３、第３ポール素子４および第４ポール素子５のすべてを軸方向に直列に連結することで、長尺な１本のメインポール１３を構成することができる。また、ポール素子集合体１は、図３に示すように、短尺な２本のサブポール１４ａ、１４ｂを構成することもできる。すなわち、第１ポール素子２と第２ポール素子３とを軸方向に直列に連結することで、１本のサブポール１４ａを構成すると共に、第３ポール素子４と第４ポール素子５とを軸方向に直列に連結することで、別の１本のサブポール１４ｂを構成することができる。
【００２４】
したがって、図４に示すように、タープ１５を単独で（テントと連結せず）設置する場合には、２組のポール素子集合体１を何れも、メインポール１３として組み合わせ、メインポール１３の片端部（上端部）に設けられたピン部９ｂを、天幕１６の長さ方向（長手方向）両側縁部の幅方向（短手方向）中央部に形成された通孔（グロメット）に挿通して、天幕１６を支承する。そして、複数本のロープ１７により、天幕１６に張力を付与する。
【００２５】
一方、図５に示すように、タープ１５をテント１８と連結して設置する、すなわち、天幕１６の長さ方向片側縁部を、ロープや金具などにより、テント１８に対し支承（連結）した状態で設置する場合には、２組のポール素子集合体１のうち、一方を１本のメインポール１３として組み合わせ、他方を２本のサブポール１４ａ、１４ｂとして組み合わせる。そして、メインポール１３の片端部に設けられたピン部９ｂを、天幕１６の長さ方向他側縁部の幅方向中央部に形成された通孔に挿通して、この幅方向中央部を支承する。さらに、サブポール１４ａ、１４ｂの片端部に設けられたピン部９ａ、９ｂを、天幕１６の長さ方向他側縁部の幅方向両端部に形成された通孔に挿通することで、これら幅方向両端部を持ち上げる。これにより、サブポール１４ａ、１４ｂを使用しない場合に比べて広い居住空間を確保することができる。また、このようなサブポール１４ａ、１４ｂは、１本のメインポール１３としても使用可能なポール素子集合体１を構成する、第１ポール素子２、第２ポール素子３、第３ポール素子４および第４ポール素子５の組み合わせを変更することで構成することができる。したがって、メインポール１３と長さの異なるサブポール１４ａ、１４ｂを別途準備する必要がなく、部品点数の増加を防止できる。
【００２６】
なお、本発明のポール素子集合体を構成するポール素子の本数は、４個に限らず、２個以上であれば何個でも良い。ただし、２本のサブポールの長さは互いに同じであることが好ましく、ポール素子集合体を構成するポール素子の本数は偶数であることが好ましい。また、各ポール素子の断面形状は、円形に限らず、多角形や楕円形などとすることもできる。また、タープの天幕を支承するための支承部は、通孔に挿通するためのピン部に限らず、円筒部に収容可能である限り他の任意の接続構造、例えば、天幕に結合したロープを結び付けるためのリング状の金具を用いることもできる。
【００２７】
なお、天幕と組み合わせる２本のポールセットを、何れも本発明のポール素子集合体とする必要はなく、一方のポールセットを本発明のポール素子集合体とすれば足りる。また、サブポールを構成するポール素子の組合せについては、これらを非接続状態でも分離しないようにするための伸縮性または非伸縮性の紐状部材により連結してもよい。さらに、本発明のポール素子集合体は、主としてタープの設営に適しているが、シート、幕、その他の布設営物の設置に適用することも可能である。
【符号の説明】
【００２８】
１  ポール素子集合体
２  第１ポール素子
３  第２ポール素子
４  第３ポール素子
５  第４ポール素子
６ａ〜６ｃ  小径部
７ａ〜７ｄ  筒状部
８ａ〜８ｃ  段差部
９ａ、９ｂ  ピン部
１０ａ〜１０ｃ  ロック機構
１１ａ〜１１ｃ  軸杆
１２ａ〜１２ｃ  係合孔
１３  メインポール
１４ａ、１４ｂ  サブポール
１５  タープ
１６  天幕
１７  ロープ
１８  テント
【図１】
0006012796.tif 000002
【図２】
0006012796.tif 000003
【図３】
0006012796.tif 000004
【図４】
0006012796.tif 000005
【図５】
0006012796.tif 000006